(57)【特許請求の範囲】
【請求項１】
マスター送信装置からのワイヤレス信号を受信して、動作制御されるストロボ装置において、
電池電圧を昇圧するための昇圧回路と、
給電されることで前記ワイヤレス信号が受信可能となる受信回路と、
前記受信回路が前記ワイヤレス信号を受信することに応じてカウントがリセットされるタイマーと、
前記昇圧回路の昇圧動作と前記受信回路への給電動作を制御する制御回路を有し、
前記制御回路は、
前記タイマーが第１の時間に達するまでの間は、前記昇圧回路に昇圧させ、前記受信回路に給電する第１の状態とし、
前記タイマーが第１の時間に達してから第２の時間に達するまでの間は、前記昇圧回路に昇圧を禁止させ、前記受信回路に給電を行う第２の状態とし、
前記タイマーが第２の時間に達したら、前記昇圧回路に昇圧を禁止させ、前記受信回路への給電を停止する第３の状態とし、
前記受信回路が前記第２の状態にて前記ワイヤレス信号を受信すると、前記ワイヤレス信号を受信したことに応じて前記第１の状態に移行することを特徴とするストロボ装置。
【発明の詳細な説明】
【０００１】
【発明の属する技術分野】
本発明はマスタストロボ等のマスター送信装置から空間的に離れた位置に配置されたストロボ装置の電源の制御に関するものである。
【０００２】
【従来の技術】
従来カメラから離れた位置に配置されるワイヤレスストロボ装置はさまざまな製品が提案されており、またスレーブ状態にした状態で放置すると、電源電池の消耗を防ぐ為に、所定時間放置すると、自動的に電源を遮断する製品が知られている。
【０００３】
また、特開平７―４３７９３号公報には、カメラ側から第１のパルス間隔の信号を受信すると、ストロボの昇圧回路の動作を開始し、第２のパルス間隔の信号を受信すると、ストロボの昇圧回路の動作を停止する。ワイヤレスフラッシュが開示されている。
【０００４】
【発明が解決しようとする課題】
しかしながら前記製品では、スレーブストロボの電源の切れ忘れを防ぐと言う面では好ましいが、所定時間経過後に電源が遮断されると、再びスレーブストロボの電源を入れ直さなければならない。また、この電源が遮断される迄の時間一律に決められており、ユーザーの要望に合致できない場合もあった。
【０００５】
また前記公報の発明では、ワイヤレスラッシュの電源を投入すると、ワイヤレスフラッシュに内蔵されたマイコンおよび受光回路には常時電流が流れ続け、放置すると電池を消耗してしまう。また、ワイヤレスフラッシュの電源を入れても、カメラからの昇圧開始信号を受光できない場合は、昇圧回路が動作しないため、発光準備を行う事が出来ず、またワイヤレスフラッシュがカメラ側からの昇圧停止信号を受信できなかった場合は昇圧回路が動作をし続ける。
【０００６】
本発明の目的とするところは、ストロボ装置において、カメラ側の主ストロボ等のマスター送信装置からの発光指令を所定時間受信しない場合は、発光指令を受信可能にして低消費電力状態に遷移させたり、または更に、この時間から所定時間発光指令を受信しない場合は、全ての電源をオフ状態する等更に低消費電力状態に遷移させことで、無駄な電池の消費を低減させたストロボ装置を提供することである。
【０００７】
【課題を解決するための手段】
上記目的を達成する為に本発明は、マスター送信装置からのワイヤレス信号を受信して、動作制御されるストロボ装置において、電池電圧を昇圧するための昇圧回路と、給電されることで前記ワイヤレス信号が受信可能となる受信回路と、前記受信回路が前記ワイヤレス信号を受信することに応じてカウントがリセットされるタイマーと、前記昇圧回路の昇圧動作と前記受信回路への給電動作を制御する制御回路を有し、前記制御回路は、前記タイマーが第１の時間に達するまでの間は、前記昇圧回路に昇圧させ、前記受信回路に給電する第１の状態とし、前記タイマーが第１の時間に達してから第２の時間に達するまでの間は、前記昇圧回路に昇圧を禁止させ、前記受信回路に給電を行う第２の状態とし、前記タイマーが第２の時間に達したら、前記昇圧回路に昇圧を禁止させ、前記受信回路への給電を停止する第３の状態とし、記受信回路が前記第２の状態にて前記ワイヤレス信号を受信すると、前記第１の状態に移行することを特徴とするものである。
【００１７】
【発明の実施の形態】
（第１の実施形態）
以下図面を参照して本発明の実施の形態に関して説明する。
【００１８】
図１は本発明の第１の実施形態におけるワイヤレスストロボシステムの電気回路ブロック図を示している。
【００１９】
２０１は電源であるところの電池、２０２は公知の昇圧回路であり、電池電圧を数１００Ｖに昇圧する。２０３は発光エネルギーを蓄積する主コンデンサ、２０４、２０５は抵抗であり、主コンデンサ２０３の電圧を所定比に分圧する。２０６は発光電流を制限する為の第１のコイル、２０７は発光停止時に発生する逆起電圧を吸収する為の第１のダイオード、２０８は発光電流を制限する為の第２のコイル、２０９は発光停止時にコイル８に発生する逆起電圧を吸収する為の第２のダイオード。１９は発光手段であると共に、スレーブストロボ装置への制御情報の出力手段であるところのＸｅ管、２１１はトリガ発生回路、２１２はＩＧＢＴなどの発光制御回路、２１３はコイル２０８をバイパスさせる為のスイッチング素子であるところのサイリスタであり、Ｘｅ管１９を用いてワイヤレス通信を行う時にＸｅ管１９から短い光パルスを発生させる場合、および、閃光発光時の発光停止時の停止制御性を良くする際にコイル２０８に電流を流さない様にサイリスタ２１３で発光電流をバイパスさせる。２１４はサイリスタ２１３ターンオンさせる為にサイリスタ２１３の制御極であるゲートに電流を流す為の抵抗、２１５は、サイリスタ２１３がオフ状態の時に該サイリスタのゲートにノイズが印加されてターンオンする事を防止するためのゲート電位安定化抵抗、２１６は、サイリスタ２１３を急速にオンさせる為のコンデンサ、２１７はイリスタ２１３がオフ状態の時に該サイリスタのゲートにノイズが印加されてターンオンする事を防止するためのノイズ吸収コンデンサ、２１８はサイリスタ２１３のゲート電流をスイッチングする為のトランジスタ、２１９、２２０は抵抗、２２１はトランジスタ２１８をスイッチングする為のトランジスタ、２２２、２２３は抵抗である。２３０はデータセレクタであり、Ｙ０、Ｙ１の２入力の組み合わせにより、Ｄ０、Ｄ１、Ｄ２を選択してＹに出力する。２３１はフラット発光の発光光度制御用のコンパレータ、２３２は閃光発光時の発光量制御用のコンパレータ、３２はフラット発光制御用の受光センサであるところのフォトダイオードであり、発光手段であるＸｅ管１９の光出力をモニタする。２３４はフォトダイオード３２に流れる微少電流を増幅すると共に光電流を電圧に変換する測光回路、３１は閃光発光制御用の受光センサであるところのフォトダイオードであり、発光手段であるＸｅ管１９の光出力をモニタする。２３６はフォトダイオード３１に流れる光電流を対数圧縮するとともにＸｅ管１９の発光量を圧縮積分する為の測光積分回路である。２３８はストロボ全体の動作を制御するマイコンであり、２２はカメラ本体との通信を行う為にホットシューに設けられた接点群、２４０はストロボの動作状態を表示する表示手段であるところの液晶ディスプレイ、２４１はストロボのワイヤレス動作状態を設定するワイヤレスセレクタースイッチ、２４２はストロボの電源オンオフを制御する電源スイッチ、２４３はストロボの充電完了を表示するＬＥＤ、２４４はストロボが適正光量で撮影出来た事を表示する調光表示ＬＥＤ、２４５は公知のモータドライバ、２４６はカメラ本体に装着されたレンズの焦点距離に合致してＸｅ管１９および反射笠２０を移動し、照射角を設定する為のモータ、２４７は液晶２４０を照明する為の不図示のＥＬまたはＬＥＤ等によるバックライトの点灯スイッチ、２４８はストロボの発光モードを選択する為のモードスイッチ、２４９は発光モードに付随したパラメータ（例えばマニュアル発光時の発光量等）を選択する為のスイッチ、２５０は前記パラメータ設定値を増加させる為のアップスイッチ、２５１は前記パラメータを減少させる為のダウンスイッチ、２５２は手動で発光照射角を設定する為のズームスイッチ、２５３、２５４、２５５は発光照射角の位置を示すエンコーダ、２５６はカメラ側からの制御情報の受信手段であるところのフォトダイオード、２５７はフォトダイオード２５６流れる光電流を増幅し、電圧に変換する受光回路、２６０はテスト発光スイッチである。
【００２０】
２７１は発振器で公知のセラミック振動子または水晶発振子などであり、マイコン２３８に動作クロックを供給する。この動作クロックをうけて、マイコン２３８内部の発振制御回路２３８Ｃは、マイコン２３８の各部に動作クロックを供給する。この発振制御回路２３８Ｃは入力された動作クロックを分周してマイコン各部に供給する際に、プログラムによりその分周比を変化させる事が可能であり、分周を行わないハイスピードモードと１／６４、１／２５６、１／１０２４のロースピードモードを選択する事ができ、ロースピードモードに設定するとマイコン２３８の消費電流を分周比に応じて極端にすくなくする事ができる。
【００２１】
２７２はアナログ回路（動作回路部）へ給電制御する為のトランジスタで、測光回路２３４、測光積分回路２３６、コンパレータ２３１、２３２、データセレクタ２３０、モータドライバ２４５等に給電する。
【００２２】
２７３はベース抵抗、２７４はワイヤレス通信の受光回路２５７への給電制御を行うトランジスタで、２７４はベース抵抗である。
【００２３】
次にマイコン２３８の各端子を説明する。
【００２４】
ＣＮＴはＤＣ／ＤＣコンバータ２の充電を制御する制御出力端子、ＬＣＤＳは液晶２４０を表示点灯する為の配線群、ＣＯＭ１はスイッチ２４１のグランド電位に相当する制御出力端子、ＮＯＲＭはストロボの動作状態が通常撮影状態（ワイヤレスモードではない）時に選択される入力端子、ＭＡＳＴＥＲはストロボの動作状態がワイヤレスマスターモード、すなわちカメラホットシュー接点群２２を用いてカメラに接続され、ワイヤレススレーブストロボの動作を制御する状態である時に選択される入力端子、ＳＬＡＶＥはストロボの動作状態がワイヤレススレーブモード、すなわちカメラから離れた位置に設置され、マスターストロボからの発光制御光信号を受光素子２５６で受信し、ストロボの発光を制御する状態である時に選択される入力端子である。次にＣＯＭ２はスイッチ２４２のグランド電位に相当する制御出力端子、ＯＦＦはストロボが電源オフ時に選択される入力端子、ＯＮはストロボが電源オン時に選択される入力端子、ＳＥはストロボが所定時間経過後に電源オフ状態になる時に選択される入力端子である。
【００２５】
ＣＬＫはカメラとのシリアル通信の同期クロック入力端子、ＤＯは同期クロックに同期して、ストロボからカメラにシリアルデータを転送する為のシリアルデータ出力端子、ＤＩは同期クロックに同期して、カメラからストロボにシリアルデータを転送する為のシリアルデータ入力端子、ＸはカメラのＸ接点の入力端子、ＰＩは入力情報であるワイヤレス光信号の入力端子、Ｍ０、Ｍ１はモータドライバの４種類の動作状態（ＣＷ駆動，ＣＣＷ駆動，モータオフ、モータブレーキ）を制御する為の出力端子、ＺＯＯＭ０、ＺＯＯＭ１、ＺＯＯＭ２は前述のズーム位置を示すエンコーダ２５３、２５４、２５５を入力する入力端子、ＣＯＭ０はズームエンコーダ等のグランド電位に相当する制御出力端子、ＺＯＯＭは前述ズーム位置設定スイッチ２５２の入力端子、ＤＯＷＮは前述発光パラメータの減少スイッチ２５１の入力端子、ＵＰは前述発光パラメータの増加スイッチ２５０の入力端子、ＳＥＬ／ＳＥＴは前述のデータ選択スイッチ２４９の入力端子、ＭＯＤＥは前述の発光モード選択スイッチ２４８の入力端子、ＬＩＧＨＴは前述の照明スイッチ２４７の入力端子、ＴＥＳＴはテスト発光スイッチ２６０の入力端子、ＹＩＮはデータセレクタ２３０の出力状態検出の為の入力端子、ＩＮＴは測光積分回路２３６の積分制御出力端子であり、ＡＤ０は測光積分回路２３６の発光量を示す積分電圧を読み込む為のＡ／Ｄ変換入力端子であり、ＤＡ０はコンパレータ２３１および２３２のコンパレート電圧を出力する為のＤ／Ａ出力端子である。
【００２６】
Ｙ０、Ｙ１は前述データセレクタ２３０の選択状態設定出力端子であり、ＴＲＩＧは発光トリガ発生出力端子であり、ＳＣＲ＿ＣＴＲＬはサイリスタ２１３の制御出力端子、ＯＳＣは発振回路２７１からの動作クロック入力端子である。
【００２７】
ＡＶＣはアナログ回路に通電制御するための制御端子、ＰＶＣはワイヤレス受光部に給電制御する為の制御端子である。
【００２８】
次に図２は第１の実施形態におけるストロボ装置の外観図である。各スイッチおよび表示等は図１と同じ番号を附って有るので、説明は省略する。なお、２５８は前述の情報受信手段であるフォトダイオード２５６の受光窓であり、この中にフォトダイオードが配置される。また２７０はカメラと接続する為のシュー部である。
【００２９】
次に図３はマスターストロボＭＳと、１台のスレーブストロボＳＳを用いたワイヤレス撮影例を示す図である。
【００３０】
カメラ１にホットシュー２を介して接続されたマスターストロボＭＳは前述のワイヤレスモード選択スイッチ２４１がＭＡＳＴＥＲに設定されてあり、スレーブストロボＳＳは前述のワイヤレスモード選択スイッチ２４１がＳＬＡＶＥに設定されている。マスターストロボＭＳの発光制御光は被写体に反射して受光窓２５８から受光されてスレーブストロボＳＳの発光を制御する。
【００３１】
次にストロボ背面に配置された液晶表示器２４０の表示例を説明する。
【００３２】
図４は１灯ワイヤレス撮影時のストロボの液晶表示器２４０の表示例である。
同図において、Ａ）は通常モード時の表示例であり、Ｂ）はワイヤレスマスターモードに設定した場合の表示例であり、Ｃ）はワイヤレススレーブモードに設定した場合の表示例であり、Ｄ）はスレーブモードに於いて、受光回路に給電したまま、昇圧回路の動作を停止したＳＥ（セーブエナジー）モードの場合の表示例である。
【００３３】
同図において、３０１はストロボの発光モード表示であり、Ａ）の通常モードまたはＢ）のマスターモードの場合は発光モードに応じて自動調光モード（ＥＴＴＬ）、マニュアル発光モード（Ｍ）、マルチ発光モード（ＭＵＬＴＩ）の何れかが選択され、表示される。
【００３４】
一方Ｃ）のスレーブモード時ではマスターストロボから指示された発光モードが表示される。
【００３５】
３０２はフラット発光撮影時である事を示す表示アイコンであり、通常モードあるいはマスターモード時はフラット発光許可時に表示され、スレーブモード時はマスターストロボからフラット発光が指示された時に表示される。
【００３６】
３０３は設定ズーム位置を示すズーム表示、３０４、３０５はワイヤレスモードを表示するアイコンであり、Ｂ）のマスターモードの場合は、３０４の表示が外向きになり、Ｃ）のスレーブモードの場合は（第３列目）３０４の表示が内向きとなる。
【００３７】
３０６はチャネル表示であり、複数の撮影者が本発明のワイヤレスストロボシステムを同時に使う場合に、混信しないように設定したチャネルが表示される。
【００３８】
３０７はスレーブモードが選択された時に表示されるスレーブモード表示であり、多灯発光のグループを選択する為にＡＢＣの３状態の何れかか表示される。
【００３９】
３０８は前述のセーブエナジーモードである事を示す表示である。
【００４０】
次に図３におけるマスターストロボＭＳとスレーブストロボＳＳの間で行われるワイヤレス通信の例を図５を用いて説明する。
【００４１】
図５はスレーブストロボをプリ発光させる時にマスターストロボＭＳが発生するワイヤレス光制御信号を示す図である。
【００４２】
Ａ）はカメラボディからストロボへシューを介して公知のシリアル通信を行う為の同期クロック信号であり、Ｂ）は同様にカメラからストロボへのデータ出力信号であり、Ｃ）は同様にストロボからカメラへのデータ出力信号である。
【００４３】
また、Ｄ）、Ｅ）はマスターストロボがＸｅ管１９をパルス的に断続発光させて発生するスレーブストロボへのワイヤレス光通信信号であり、Ｄ）はマスターストロボが制御専用モードの場合の発光信号を示しており、Ｅ）はマスターストロボがマスター発光モードの場合の発光信号を示しており、Ｆ）はスレーブストロボの発光を示している。
【００４４】
同図においてカメラから前述のシリアル通信線を介してプリ発光指示が行われると、マスターストロボはＤ）またはＥ）に示すワイヤレス光通信信号を発生する。
【００４５】
その１バイト目はＳＴＡＲＴパルスとＣＨパルスおよび、Ｄ７〜Ｄ０の合計１０ｂｉｔのデータで構成されており、ＳＴＡＲＴとＣＨ間隔がチャネル識別信号を示し、続く所定間隔のＤ７〜Ｄ０が１バイトのデータを示しており、その１バイトデータはＤ７〜Ｄ０の光パルスの組み合わせで発光モード（プリ発光、メイン発光、マニュアル発光、マルチ発光）と、閃光またはフラット発光モードと、フラット発光時の発光時間等の情報を圧縮して構成している。このコマンドの内容に関しては後述する。
【００４６】
続く２バイト目以降は所定間隔のＳＴＡＲＴパルスとＤ７〜Ｄ０が１バイトのデータを示し、前述の発光モードに応じた発光量等のデータを示す。また、ワイヤレス光通信信号の通信データ長は、発光モードに応じて所定の長さが定義されており、図５に示したプリ発光通信では２バイトの長さを持つ。なお、１バイト目のみチャネル識別信号を重畳し、２バイト目以降は付与しないのは、通信の長さを短縮する為である。
【００４７】
マスターストロボＭＳは前記ワイヤレス送信をしている間はＤＯ通信ラインをＬｏレベルに落としており、送信終了すると、Ｈｉレベルに戻す。
【００４８】
時刻ｔ２にてカメラはＤＯ通信ラインがＨｉレベルに戻ったのを認識して、時刻ｔ３にてＣＬＫ信号ラインを引き下げてプリ発光開始を指示する。
【００４９】
マスターストロボＭＳはＣＬＫ通信ラインが立ち下がった事を検出して、制御専用モードの場合は図５（３）に示す発光開始光パルスを発生し、マスター発光モードの場合は図５（４）に示すカメラから指示された所定時間、所定発光光度の発光が行われる。
【００５０】
一方スレーブストロボはマスターストロボＭＳからのワイヤレス光通信パルスの１バイト目、２バイト目を受信しチャネル番号、発光モード、発光時間、発光量等の情報をデコードし、前述のマスターストロボの発光に同期して、図５（５）に示す所定の光量、所定発光時間のプリ発光が行われる。
【００５１】
次に前述のワイヤレス通信の代表的なコマンドを図６の通信テーブルを用いて説明する。図６は本発明におけるワイヤレス通信の代表的な通信モードを示す表である。
【００５２】
１バイト目はコマンドであり、詳細に説明する為に１ｂｉｔ毎に表示している。また、１バイト目のＤ７からＤ０は前述の図５に於けるＤ７からＤ０に相当する。
【００５３】
１バイト目のＤ７ビットに記載してあるＦＳは、閃光発光とフラット発光を示すビットであり、閃光発光の時は０、フラット発光の時は１である。また、マルチ発光は閃光発光で行われるので０である。Ｄ６からＤ３はコマンド名で示される発光モードを示す。Ｄ２ビットからＤ０ビットは発光時間を示し、Ｔ２、Ｔ１、Ｔ０の３ビットの組み合わせで８通りの時間を表し、フラットプリ発光時はプリ発光時間を示し、本発光時は、シャッタ速度と幕速に応じたフラット発光の発光時間を示している。
【００５４】
２バイト目から５バイト目までは各発光コマンドに続くデータであり、コマンドに応じた長さをもち、発光量、マルチ発光の周波数、マルチ発光回数の等のデータである。
【００５５】
また、マルチ発光時の３バイト目から５バイト目にあるＦ／Ｃは、マルチ発光の周波数と発光回数を示すデータであり、１バイトを４ｂｉｔずつに分割して、周波数と発光回数を表している。また、テスト発光時のデータは、図６下のテスト発光モード表にしめす内容であり、多灯光量比などのモードに応じたテスト発光を指示するデータとなっている。
【００５６】
これらのコマンドとデータの組み合わせで、スレーブストロボの発光制御を行うわけである。
【００５７】
次にワイヤレス通信発光動作時の回路的な動作を説明する。
【００５８】
マスターストロボマイコン２３８（図１）はカメラからのワイヤレス通信指示を受信すると、ＤＡ０出力端子より、ワイヤレス光通信に必要な光パルスの光量に応じた所定の電圧を発生する。
【００５９】
次にＹ０にＬｏ、Ｙ１をＨｉレベルに設定し、データセレクタ２３０のＤ２入力を選択する。この際Ｘｅ管１９は未発光なので、センサ３２に光電流は流れず、コンパレータ２３１の出力はＬｏレベルであるのでコンパレータ２３１の出力はＨｉレベルであり、発光制御回路２１２は導通状態となる。さらにＳＣＲ＿ＣＴＲＬ端子をＨｉレベルに設定しトランジスタ２２１、トランジスタ２１８をオンすると、トランジスタ２１８抵抗２１４を通ってサイリスタ２３１のゲートにゲート電流がながれ、サイリスタ２１３はオン状態となり、ＴＲＩＧ端子から所定時間ＨＩ信号を出力すると、発光制御回路２１２は導通状態であるので、Ｘｅ管１９が発光を開始する。この際、Ｘｅ管１９に流れる電流はコンデンサ２０３、コイル２０６、サイリスタ２１３を通って流れる。すなわち、コイル２０８をサイリスタ２１３でバイパスする事により高速ワイヤレス通信に必要な立ち上がりの鋭い光パルスが得られる。
【００６０】
発光が開始されＸｅ管に電流が流れ、光量は徐々に増加し、発光をモニタするセンサ３２の出力が所定電圧になると、コンパレータ２３１の出力がＨｉレベルからＬｏレベルに反転し、その出力はＤ２、Ｙを通って発光制御回路２１２を遮断状態にするので、発光が停止される。同時にマイコン２３８はＹＩＮ端子でモニタしているＹ出力がＬｏレベルになったのを検知してＹ１、Ｙ０端子をＬｏ、Ｌｏレベルに設定し、強制的に発光停止状態とする。
【００６１】
以降同様にして、送信１バイト目は所定時間後にチャネル識別信号ＣＨ．を発生する。このチャネル識別信号は複数のスレーブストロボＳＳがある場合にチャネルを選択して混信を防ぐためのものである。続いて送信データの内容に応じてＤ７〜Ｄ０の必要ビットを等間隔で発光する。
【００６２】
通信２バイト目以降は、スタートパルスのあとに送信データの内容に応じてＤ７〜Ｄ０の必用ビットを等間隔で発光する。
【００６３】
次に図７のフローチャートを用いて、スレーブモードにセットした場合のストロボマイコン２３８の動作を説明する。
【００６４】
〔ステップ１００〕マイコン２３８は電源が投入されると入出力ポートの初期化を行う。
【００６５】
〔ステップ１０１〕マイコンの動作クロックモードをハイスピードクロックモードに設定するとともに後述のストロボの動作時間をカウントする内部タイマ（タイマ１）を初期化してスタートする。
【００６６】
〔ステップ１０２〕ＡＶＣ端子をローレベルに設定してトランジスタ２７２を導通状態にし、前述の各アナログ回路に給電する。
【００６７】
〔ステップ１０３〕ＰＶＣ端子をローレベルに設定してトランジスタ２７４を導通状態にし、前述のワイヤレス受光回路２５７に給電する。
【００６８】
〔ステップ１０４〕ＣＮＴ端子をローレベルに設定して昇圧回路２０２の動作を許可する。
【００６９】
〔ステップ１０５〕ワイヤレス通信割込の発生を許可する。
【００７０】
〔ステップ１０６〕前述のマイコンの動作クロックモードに応じてハイスピード（通常動作状態）であればステップ１０７に分岐し、ロースピード（ＳＥ動作状態）であればステップ１１6に分岐する。
【００７１】
〔ステップ１０７〕クロックモードがハイスピードの時にその経過時間をカウントする為のマイコン２３８の内部タイマ１のカウント値が第１所定値（ＳＥモード移行時間）より小さければステップ１０８に分岐し、第１所定値以上（所定時間以上）であればＳＥモードに移行する為にステップ１１１に分岐する。なお、この内部タイマ１がリセットされる条件に関しては後述する。
【００７２】
〔ステップ１０８〕通常動作状態の場合は、ＡＤ１入力端子よりモニタした主コンデンサ２０３の電圧に応じて、所定電圧より低ければＣＮＴ端子をローレベルに設定して、昇圧回路２０２を動作させ、所定電圧より高ければＣＮＴ端子をハイレベルに設定して、昇圧回路２０２を停止させる事により主コンデンサ２０３が所定の電圧となる様に制御する。
【００７３】
〔ステップ１０９〕ＡＤ１端子よりモニタしたメインコン電圧が発光可能な所定電圧以上であれば、充完ＬＥＤ２４３を点灯し、低ければ消灯する。
【００７４】
〔ステップ１１０〕ストロボの状態に応じて図４Ｃ）の例に示す表示を行う。
【００７５】
〔ステップ１１１〕一方タイマ１が所定値（ＳＥタイマ移行時間）になった場合、すなわちワイヤレス情報を受信せず、発光処理も行われなかった場合は、ＣＮＴ端子をハイレベル（ハイインピーダンス）に設定し、昇圧回路２０２の動作を停止する。
【００７６】
〔ステップ１１２〕ＡＶＣ端子をハイレベル（ハイインピーダンス）に設定し、アナログ回路の給電を停止する。
【００７７】
〔ステップ１１３〕ＳＥモードに移行した事を示す為に図４Ｄ）の表示を行う。また、充完表示のＬＥＤ２４３および、調光確認表示のＬＥＤ２４４を消灯する。
【００７８】
〔ステップ１１４〕マイコンの動作クロックモードをロースピードに設定する。
【００７９】
〔ステップ１１５〕ＳＥモードの経過時間を計測する為に、タイマ１をリセットして再起動する。
【００８０】
以上のステップ１１１からステップ１１４の処理で、ストロボはマイコン２３８および、受光回路２５６のみ給電された状態となり、なおかつマイコン２３８のクロックモード（通常動作モード）をロースピードモード（通常動作モードよりも電力消費の少ない低電力消費モード）にする事により、ストロボ全体は極端に消費電流の少ない状態となる。
【００８１】
〔ステップ１１６〕他方、ストロボの動作がＳＥモードの時は、ＳＥモードの経過時間を計測する為のタイマ（タイマ１）を監視し、該タイマが第２の所定値（ＳＥモード終了時間）よりも小さい場合はステップ１０６に戻り、第２の所定値以上の場合はステップ１１７に分岐する。
【００８２】
〔ステップ１１７〕ＳＥモードに移行して、第２の所定時間の間発光制御信号を受信しない場合は電源オフ処理を行うためにまず受光部の給電を停止する為にＰＶＣ端子をハイレベル（ハイインピーダンス）状態に設定する。
【００８３】
〔ステップ１１８〕表示ＬＣＤ２４０を消灯する。
【００８４】
〔ステップ１１９〕マイコン２３８の動作クロックを停止し、ＳＴＯＰ状態となり電流の消費は遮断され、ストロボは動作を停止する。
【００８５】
次に図８、図９のフローチャートを使って、ストロボが発光制御信号を受信した時の処理を説明する。
【００８６】
スレーブストロボは受信手段であるフォトダイオード２５６に、マスターストロボからのワイヤレス情報信号を受信すると、受光回路２５７を通して、信号を増幅およびフィルタリングされ、光パルスのような早い立ち上がりの信号のみがマイコン２３８にＰＩ端子に入力されて、最初のＳＴＡＲＴパルス（図５のＤ）またはＥ）に示すＳＴＡＲＴパルス）が入力されるとワイヤレス通信割込が発生し、以下の処理が行われる。
【００８７】
〔ステップ２０１〕識別信号間隔を計測する為にマイコン２３８内部のタイマ２（ＣＨ計測タイマ）をスタートする。
【００８８】
〔ステップ２０２〕マイコンの動作スピードがハイスピード（通常動作状態）の場合はステップ２０６に分岐し、ロースピードの場合は（ＳＥモード状態）の場合はステップ２０３に分岐する。
【００８９】
〔ステップ２０３〕マイコンの動作スピードをハイスピードに設定する。
【００９０】
〔ステップ２０４〕ＡＶＣ端子をローレベルに設定してトランジスタ２７２をオン状態に設定し、前述のアナログ回路に給電を行う。
【００９１】
〔ステップ２０５〕昇圧回路２０２の動作を許可する。また昇圧回路を作動させる。
【００９２】
〔ステップ２０６〕ＣＨ．パルスが入力されると、ステップ２０１で起動したＣＨ計測タイマ（タイマ２）を停止し、ＳＴＡＲＴパルスからＣＨ．パルスまでの時間を計測してチャネルを識別する。
【００９３】
〔ステップ２０７〕ＣＨパルスに続く１バイト目のデータパルスを所定の等間隔でサンプリングし、１バイト目を受信する。
【００９４】
〔ステップ２０８〕ステップ２０５で受信したＤ７からＤ０のデータが、図６のコマンドに合致するか解析する。
【００９５】
〔ステップ２０９〕受信した１バイト目のコマンドが図６のコマンドテーブルに合致しない場合はコマンドエラーとしてステップ２２０に分岐する。
【００９６】
〔ステップ２１０〕受信したコマンドに応じて、残り受信すべき受信長をセットする。
【００９７】
〔ステップ２１１〕受信すべき残りデータが０の場合はデータ受信処理を終了して、ステップ２１３に分岐する。
【００９８】
〔ステップ２１２〕ステップ２０７と同様にして、残りのワイヤレス通信のＳＴＡＲＴパルスに続くデータを受信する。
【００９９】
〔ステップ２１３〕受信したデータが適切か判別し、不適切な場合は発光処理に進まず、ステップ２２０に分岐する。
【０１００】
〔ステップ２１４〕マスターストロボの発光開始信号（図５のＤの（３）またはＥの（４）の発光の立ち上がり信号を受信すればステップ２１６に進み、受信しない場合はステップ２１５に分岐する。
【０１０１】
〔ステップ２１５〕所定時間発光開始信号を受信できない場合は、タイムアウトとしてステップ２２０に分岐し、タイムアウトでない場合はステップ２１４に戻る。
【０１０２】
〔ステップ２１６〕ステップ２０６で識別したチャネルがスレーブストロボのチャネルに合致しない場合は発光処理を行わずステップ２２０に分岐する。
【０１０３】
〔ステップ２１７〕主コンデンサ２０３の電圧が発光可能電圧以上であれば、受信したコマンドおよびデータに従った発光処理を行う。
【０１０４】
〔ステップ２１８〕発光した状態（発光形態：閃光発光、フラット発光、発光モード：自動調光、マニュアル発光、マルチ発光、発光パラメータ：発光量、発光回数、発光周波数など）を液晶表示器２４０に表示する。
【０１０５】
〔ステップ２１９〕図７のフローチャートで説明した、ストロボの動作時間計測タイマであるタイマ１を０にリセットする。
【０１０６】
〔ステップ２２０〕コマンドエラー、データエラーなどの場合は発光処理を行わず、所定時間待機したのち次のデータの受信待ちとしてワイヤレス通信割込処理を終了する。
【０１０７】
次に上記説明した内部タイマ１の動作とストロボのモードを図１０のタイミングチャートを用いて説明する。
【０１０８】
同図においてＡ）はカメラに装着した、マスターモードにセットしたストロボのワイヤレス通信波形であり、Ｂ）はスレーブモードにセットしたストロボの発光波形であり、Ｃ）はスレーブモードにセットした場合のマイコン２３８の内部タイマ１のカウント状態を示し、Ｄ）はスレーブモードにセットしたストロボのクロックモードをしめしている。
【０１０９】
同図において時刻ｔ１においてスレーブストロボの電源が投入されると、前述の様に、スレーブストロボは昇圧回路を含めた全ての回路が動作する通常モードとなっており、一方マイコンの内部タイマ１は経過時間と共にカウントアップしていく。
【０１１０】
時刻ｔ２にてマスターストロボからのワイヤレス通信を受信すると、スレーブストロボは、マスターストロボから指示された発光条件で発光するとともに、内部タイマを０にリセットする。
【０１１１】
その後再び時間の経過とともに内部タイマはカウントアップしていき、第１の所定カウント値になると、時刻ｔ３に於いて、前述の様に発振回路を停止し、受光回路以外のアナログ回路の給電を停止し、マイコン自体も動作モードをロースピードモードに変更したＳＥモードになる。なお、このＳＥモードの間にマスターストロボからワイヤレス通信が行われた場合は、前述の様に、マイコンの動作モードをハイスピードモードに戻し、発振回路の動作を開始し、各アナログ回路に給電し、内部タイマ１をリセットした、同図に於ける時刻ｔ１の状態の通常モードに戻る。なお、この際、主コンデンサ２０３の電圧が発光可能な所定電圧であれば、マスターストロボから指示された発光条件の発光が行われる。
【０１１２】
一方マスターストロボからのワイヤレス通信も受信せず、内部タイマ１が第２の所定カウント値になる時刻ｔ４で、前述の様に受光部への給電も停止し、マイコンは動作クロックを停止したＳＴＯＰ状態になる。
【０１１３】
次に前述のＳＥモードに移行する時間および、ＳＥモードになってから電源を遮断するまでの時間の設定方法を説明する。
【０１１４】
図１１は前述の液晶表示２４０の表示例であり、Ａ）はＳＥモードに移行する時間の設定画面を表し、Ｂ）はＳＥモードになってから電源を遮断するまでの時間の設定画面を表している。
【０１１５】
同図において３２０のＣＦ−０またはＣＦ−１はカスタムファンクションの略であり、撮影者がストロボの様々な機能を個別設定できるモードであり、図２でしめした照明スイッチ２４７を所定時間連続して押し続けるとカスタムファンクション設定画面になる。
【０１１６】
本実施形態ではＣＦ−０がＳＥモードに移行する時間の設定ファンクションであり、ＣＦ−１がＳＥモードになってから電源を遮断するまでの時間の設定ファンクションである。
【０１１７】
このＣＦ番号は図２でしめしたＳＥＬスイッチ２４９を押す度に数値が大きくなり、撮影者が設定したいカスタムファンクションの番号を選択する事ができる。
【０１１８】
また、３２１はカスタムファンクションの設定値をあらわし、たとえば図１１Ａ）の表示ではＣＦ−０の設定時間は０１（１時間）である事を示しており、図１１Ｂ）表示ではＣＦ−１の設定時間は９９（９９時間）である事を示している。このカスタムファンクションのパラメータ３２１は図２の＋スイッチ２５０またＨ−スイッチ２５１で増減設定する事ができ、ＳＥＬスイッチ２４９を押す事により、もしくは、スイッチ操作後所定時間が経過すると確定する。
【０１１９】
なお、このカスタムファンクション設定画面は照明スイッチ２４７を再度押す事により、解除される。この様にして、撮影者は、ＳＥモードに移行する時間および、ＳＥモードになってから電源を遮断するまでの時間を自分の撮影条件に合致して自由に設定する事ができる。
【０１２０】
以上説明したように、本発明第１の実施形態のワイヤレスストロボでは、撮影者が連続して撮影を行うような場合は、常に昇圧手段が動作するので、マスターストロボの発光に対応したワイヤレス撮影が可能であり、撮影を一時休止した場合は、所定時間の経過後、ＣＰＵと受光部以外の回路の給電を停止すると共に、昇圧手段の動作を停止した低消費電流モード（ＳＥモード）となるので、電池のむだな消耗を極力防ぐ事が可能となる。また、この状態でマスターストロボなどから、テスト発光等の指示を行うと、即座に各部の給電を再開するとともに昇圧回路の動作を開始するので、スレーブストロボの電源を入れ直す事を行わなくとも、撮影可能状態に復帰できる極めて操作性の高いワイヤレスストロボを実現できる。また、前記ＳＥ状態が所定時間続いた場合は、受光部の電源も遮断した電源オフ状態に遷移する事により、安全性の高いワイヤレススレーブストロボ装置を提供することができる。
【０１２１】
また、前記ＳＥに移行する時間および、電源オフ状態に移行する時間を自由に設定する事ができるので、撮影者の撮影条件に合致した使いやすいワイヤレススレーブストロボ装置を提供することができる。
【０１２２】
（第２の実施形態）
第１の実施形態ではマスターストロボからコマンドとデータを送ってスレーブストロボを制御する高度なワイヤレスストロボシステムに適応した例を示したが、第２の実施形態ではマスターストロボの発光立ち上がりに同期してスレーブストロボが発光するいわゆるスレーブ発光モードを持ったワイヤレスストロボに適応した例を説明する。
【０１２３】
図１２は、本発明の第２の実施形態におけるワイヤレスストロボシステムの電気回路ブロック図を示しており、基本的に第１の実施例の点線でかこったワイヤレスデータ通信を行う為の回路を省き、いわゆる一般的なストロボの回路としている。また、データセレクタ２３０を廃止し、コンパレータ２３２の出力を直接マイコン２３８のＳＴＯＰ割込端子に入力している。
【０１２４】
また発光制御回路２１２の制御はＳＴＡＲＴ出力端子によりマイコンが直接行っている。
【０１２５】
また、３１０は被写体の反射光を測光する為の受光素子であり、ストロボの正面に被写体に向けて配置されている。
【０１２６】
なお、他の構成要素で第１図と同一のものは同じ記号を付与しているので説明を省略する。
【０１２７】
次に図１３は第２の実施形態におけるストロボ装置の外観図である。各スイッチおよび表示等は図２と同じ番号を附って有るので、説明は省略する。なお、２５８は前述の情報受信手段であるフォトダイオード２５６の受光窓であり、この中にフォトダイオードが配置される。また２８０は前記被写体からの反射光を測光する為の受光窓であり、この奧に前記受光素子３１０が正面に向かって配置される。また第２の実施例では、第１の実施例と異なり、スレーブストロボを制御する為にコマンドの送信を行う、マスターモードは存在しないので、ワイヤレスモードセレクタ２４１のモードはＮＯＲＭとＳＬＡＶＥのみとなっている。
【０１２８】
次に第２の実施形態における液晶２４０の表示例を図１４を例に説明する。同図において、Ａ）は通常モード時の表示を示し、Ｂ）ワイヤレススレーブモード時の表示を示し、Ｃ）は前述のＳＥ状態を示す。
【０１２９】
同図において、第１の実施形態と異なる箇所のみ説明する。Ａ）の通常状態の表示におけるモード表示３１０に示したＴＴＬは、カメラが公知のＴＴＬ調光制御を行う事を示している。
【０１３０】
Ｂ）のスレーブストロボの表示状態において、３０１のモード表示に示したＡＵＴＯ表示は、いわゆる外部調光モードである事を示し、３０９は絞りの設定値で、３１０はＩＳＯ感度の設定値である。この３０９と３１０はカメラにおける設定値であり、この２つのパラメータをスレーブストロボで設定する事により、スレーブストロボは前述の受光素子３１０により被写体反射光を測光して適正な調光発光を行ういわゆる外部調光動作が行われる。
【０１３１】
次に図１５のタイミングチャートを用いてスレーブストロボの発光動作を説明する。
【０１３２】
同図において、Ａ）はカメラ側ストロボの発光波形であり、Ｂ）は受光回路２５７の出力電圧である。同図に示す様に、受光回路２５７は他のストロボの発光波形の様に急峻な光に応答して所定のパルス出力を発生する公知の受光回路となっている。Ｃ）はマイコン２３８のＴＲＩＧ端子出力であり、トリガ回路２１１はこの信号を受けて、トリガ用の高圧をＸｅ管１９のトリガ電極に印加する。Ｄ）はマイコン２３８のＳＴＡＴ端子出力電圧でありハイレベルの間発光制御回路２１２が導通状態となる。従ってＣ）によるトリガ電圧印加とＤ）の発光制御回路のオンでＸｅ管１９はＥ）に示す発光波形で発光する。Ｆ）は測光積分回路２３６の出力電圧であり、被写体反射光を受光センサ３１０で受光した積分出力電圧であり、その出力電圧はコンパレータ２３２の＋入力端子に印加され、一方ー入力端子は、絞り設定値とＩＳＯ感度設定値に応じた適正光量を得る為の所定の電圧がマイコン２３８のＡＤ０出力端子から出力されているので、所定の露光量になると、Ｇ）で示したコンパレータ２３６の出力電圧がローレベルからハイレベルに変わり、マイコン２３８はその信号の変化を検出してＳＴＡＲＴ端子をローレベルにする事により、発光制御回路２１２が遮断され、Ｘｅ管の発光は停止する。
【０１３３】
次に図１６のフローチャートを用いて、スレーブモードにセットした場合のストロボマイコン２３８の動作を説明する。
【０１３４】
〔ステップ３００〕マイコン２３８は電源が投入されると入出力ポートの初期化を行う。
【０１３５】
〔ステップ３０１〕マイコンの動作クロックモードをハイスピードクロックモードに設定するとともに後述のストロボの動作時間をカウントする内部タイマ（タイマ１）を初期化してスタートする。
【０１３６】
〔ステップ３０２〕ＡＶＣ端子をローレベルに設定してトランジスタ２７２を導通状態にし、第１の実施例と同様に各アナログ回路に給電する。
【０１３７】
〔ステップ３０３〕ＰＶＣ端子をローレベルに設定してトランジスタ２７４を導通状態にし、ワイヤレス受光回路２５７に給電する。
【０１３８】
〔ステップ３０４〕ＣＮＴ端子をローレベルに設定して昇圧回路２０２の動作を許可する。
【０１３９】
〔ステップ３０５〕スレーブ割込の発生を許可する。
【０１４０】
〔ステップ３０６〕前述のマイコンの動作クロックモードに応じてハイスピード（通常動作状態）であればステップ３０７に分岐し、ロースピード（ＳＥ動作状態）であればステップ３１6に分岐する。
【０１４１】
〔ステップ３０８〕クロックモードがハイスピードの時にその経過時間をカウントする為のマイコン２３８の内部タイマ１が第１所定値（ＳＥモード移行時間）より小さければステップ３０８に分岐し、第１所定値以上であればＳＥモードに移行する為にステップ３１１に分岐する。なお、この内部タイマ１がリセットされる条件に関しては後述する。
【０１４２】
〔ステップ３０８〕通常動作状態の場合は、ＡＤ１入力端子よりモニタした主コンデンサ２０３の電圧に応じて、所定電圧より低ければＣＮＴ端子をローレベルに設定して、昇圧回路２０２を動作させ、所定電圧より高ければＣＮＴ端子をハイレベルに設定して、昇圧回路２０２を停止させる事により主コンデンサ２０３が所定の電圧となる様に制御する。
【０１４３】
〔ステップ３０９〕ＡＤ１端子よりモニタしたメインコン電圧が発光可能な所定電圧以上であれば、充完ＬＥＤ２４３を点灯し、低ければ消灯する。
【０１４４】
〔ステップ３１０〕ストロボの状態に応じて図１４Ｂ）の例に示す表示を行う。
【０１４５】
〔ステップ３１１〕一方タイマ１が所定値（ＳＥタイマ移行時間）になった場合、すなわちワイヤレス情報を受信せず、発光処理も行われなかった場合は、ＣＮＴ端子をハイレベル（ハイインピーダンス）に設定し、昇圧回路２０２の動作を停止する。
【０１４６】
〔ステップ３１２〕ＡＶＣ端子をハイレベル（ハイインピーダンス）に設定し、アナログ回路の給電を停止する。
【０１４７】
〔ステップ３１３〕ＳＥモードに移行した事を示す為に図１３Ｃ）の表示を行う。また、充完表示のＬＥＤ２４３および、調光確認表示のＬＥＤ２４４を消灯する。
【０１４８】
〔ステップ３１４〕マイコンの動作クロックモードをロースピードに設定する。
【０１４９】
〔ステップ３１５〕ＳＥモードの経過時間を計測する為に、タイマ１をリセットして再起動する。
【０１５０】
以上のステップ３１１からステップ３１４の処理で、ストロボはマイコン２３８および、受光回路２５６のみ給電された状態となり、なおかつマイコン２３８のクロックモードをロースピードモードにする事により、ストロボ全体は極端に消費電流の少ない状態となる。
【０１５１】
〔ステップ３１６〕他方、ストロボの動作がＳＥモードの時は、ＳＥモードの経過時間を計測する為のタイマ（タイマ１）を監視し、該タイマが第２の所定値（ＳＥモード終了時間）よりも小さい場合はステップ３０６に戻り、第２の所定値以上の場合はステップ３１７に分岐する。
【０１５２】
〔ステップ３１７〕ＳＥモードに移行して、第２の所定時間の間発光制御信号を受信しない場合は電源オフ処理を行うためにまず受光部の給電をする為にＰＶＣ端子をハイレベル（ハイインピーダンス）状態に設定する。
【０１５３】
〔ステップ３１８〕表示ＬＣＤ２４０を消灯する。
【０１５４】
〔ステップ３１９〕マイコン２３８の動作クロックを停止し、ＳＴＯＰ状態となり電流の消費は遮断され、ストロボは動作を停止する。
【０１５５】
次に図１７のフローチャートを使って、ストロボが発光制御信号を受信した時の処理を説明する。
【０１５６】
カメラ側のストロボが発光すると、その発光を検出して前述のように受光回路２５７から所定振幅のパルス信号が発生し、その立ち上がりエッジを検出して、スレーブ割込が発生し、以下の処理が行われる。
【０１５７】
〔ステップ４０１〕マイコンの動作スピードがハイスピード（通常動作状態）の場合はステップ４０５に分岐し、ロースピードの場合は（ＳＥモード状態）の場合はステップ４０２に分岐する。
【０１５８】
〔ステップ４０２〕マイコンの動作スピードをハイスピードに設定する。
【０１５９】
〔ステップ４０３〕ＡＶＣ端子をローレベルに設定してトランジスタ２７２をオン状態に設定し、前述のアナログ回路に給電を行う。
【０１６０】
〔ステップ４０４〕昇圧回路２０２の動作を許可する。また昇圧回路２０２を作動させる。
【０１６１】
〔ステップ４０５〕主コンデンサの電圧が発光可能な所定電圧以上であれば、前述の図１５のタイミングチャートで説明した発光制御処理が行われる。
【０１６２】
〔ステップ４０６〕図１６のフローチャートで説明した、ストロボの動作時間計測タイマであるタイマ１を０にリセットする。
【０１６３】
次に上記説明した内部タイマ１の動作とストロボのモードを図１８のタイミングチャートに示す。同図において、Ａ）はカメラ側ストロボの発光である事を除いて、図１０と同一である。また、同図に於ける動作も、図１０ではＡ）はマスターストロボのワイヤレス通信であったが、図１８ではカメラ側ストロボの発光である点を除いて図１０と同一であり、第１の実施形態と同様の動作を行うものである、説明を省略する。
【０１６４】
以上説明したように、本発明第２の実施形態のワイヤレスストロボにおいても、撮影者が連続して撮影を行うような場合は、常に昇圧手段が動作するので、マスターストロボの発光に対応したワイヤレス撮影が可能であり、撮影を一時休止した場合は、所定時間の経過後、ＣＰＵと受光部以外の回路の給電を停止すると共に、昇圧手段の動作を停止した低消費電流モード（ＳＥモード）となるので、電池のむだな消耗を極力防ぐ事が可能となる。また、この状態でマスターストロボなどから、テスト発光等の指示を行うと、即座に各部の給電を再開するとともに昇圧回路の動作を開始するので、スレーブストロボの電源を入れ直す事を行わなくとも、撮影可能状態に復帰できる極めて操作性の高いワイヤレスストロボを実現できる。また、前記ＳＥ状態が所定時間続いた場合は、受光部の電源も遮断した電源オフ状態に遷移する事により、安全性の高いワイヤレススレーブストロボ装置を提供することができる。
【０１６５】
また、カスタムファンクションによる前記ＳＥに移行する時間および、電源オフ状態に移行する時間の設定も第１の実施例と同一であるので、その表示図および説明は省略する。
【０１６６】
【発明の効果】
以上説明した様に、本発明によれば、ユーザーの手間を低減させつつも、昇圧回路や受光回路の無駄な電池の消費を低減させるストロボ装置を提供することができる。
【図面の簡単な説明】
【図１】本発明の第１実施形態のストロボの電気的構成を示す電気回路ブロック図である。
【図２】本発明の第１実施形態のストロボの外観図である。
【図３】本発明の第１実施形態における撮影例を示す図面である。
【図４】本発明の第１実施形態におけるストロボ装置の表示器でのの表示例を示す説明図である。
【図５】本発明の第１実施形態におけるワイヤレス通信を説明するタイミングチャートである。
【図６】本発明の第１実施形態におけるワイヤレス通信コマンドを説明する図である。
【図７】本発明の第１実施形態におけるスレーブストロボの動作を説明するフローチャートである。
【図８】本発明の第１実施形態におけるスレーブストロボのワイヤレス通信受信時の動作を説明するフローチャートである。
【図９】図８とともに本発明の第１実施形態におけるスレーブストロボのワイヤレス通信受信時の動作を説明するフローチャートである。
【図１０】本発明の第１実施形態におけるスレーブストロボのモード推移を説明するタイミングチャートである。
【図１１】本発明の第1実施形態の表示例を示す説明図である。
【図１２】本発明の第２実施形態のストロボの電気的構成を示す電気回路ブロック図である。
【図１３】本発明の第２実施形態のストロボの外観図である。
【図１４】本発明の第２実施形態におけるストロボの表示回路での表示例を示す説明図である。
【図１５】本発明の第２実施形態における発光動作を説明するタイミングチャートである。
【図１６】本発明の第２実施形態におけるスレーブストロボの動作を説明するフローチャートである。
【図１７】本発明の第２実施形態におけるスレーブストロボのスレーブ発光時の動作を説明するフローチャートである。
【図１８】本発明の第２実施形態におけるスレーブストロボのモード推移を説明するタイミングチャートである。
【符号の説明】
１９  キセノン管
２３８  ストロボマイコン
２１２  発光制御回路
２５６  フォトダイオード
２４０  液晶表示装置
２５７  受光回路
【図１】
0004006109.tif 000002
【図２】
0004006109.tif 000003
【図３】
0004006109.tif 000004
【図４】
0004006109.tif 000005
【図５】
0004006109.tif 000006
【図６】
0004006109.tif 000007
【図７】
0004006109.tif 000008
【図８】
0004006109.tif 000009
【図９】
0004006109.tif 000010
【図１０】
0004006109.tif 000011
【図１１】
0004006109.tif 000012
【図１２】
0004006109.tif 000013
【図１３】
0004006109.tif 000014
【図１４】
0004006109.tif 000015
【図１５】
0004006109.tif 000016
【図１６】
0004006109.tif 000017
【図１７】
0004006109.tif 000018
【図１８】
0004006109.tif 000019